【手続補正書】
【提出日】令和1年6月11日(2019.6.11)
【手続補正１】
【補正対象書類名】明細書
【補正対象項目名】００２０
【補正方法】変更
【補正の内容】
【００２０】
本発明の第１態様は、
外箱と内箱とにより形成された天井壁、背面壁、左右の側壁、および底面壁を有し、前面に開口を有する仕切壁で区画された貯蔵室が形成された箱体と、
前記左側壁と前記背面壁とのコーナー部、及び、前記右側壁と前記背面壁とのコーナー部の各々に形成され、断面形状が円弧状あるいは曲線状あるいは略三角形状である凸部と、
前記背面壁を形成する前記内箱と前記外箱との間に前記凸部と幅方向に一部が重なるように設けられた真空断熱材と、
前記天井壁を形成する前記内箱と前記外箱との間に設けられた第２の真空断熱材と、
前記凸部及び前記凸部間において、前記真空断熱材と前記内箱との間に充填あるいは注入され、前記真空断熱材と前記内箱とを接着、固着、もしくは固定する発泡断熱材と、
前記背面壁の前記貯蔵室側の少なくとも一部を覆うカバー部材と、
前記真空断熱材と前記外箱とを接着する前記発泡断熱材とは異なる接着剤と、
前記背面壁の前記内箱に前記内箱とは別体で設けられ、前記カバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記制御基板室に設けられた制御基板室カバーと、
前記制御基板室内あるいは前記制御基板室カバーに設けられ、前記送受信手段が接続可能なネットワーク接続用端子と、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されている冷蔵庫。
本発明の第２態様は、
外箱と内箱とにより形成された天井壁、背面壁、左右の側壁、および底面壁を有し、前面に開口を有する仕切壁で区画された貯蔵室が形成された箱体と、
前記側壁と前記背面壁とのコーナー部に形成され、前記側壁と前記背面壁とを接続する斜辺部を有し、前記斜辺部が直線状あるいは曲線状あるいは円弧状である凸部と、
前記背面壁を形成する前記内箱と前記外箱との間に設けられた真空断熱材と、
前記天井壁を形成する前記内箱と前記外箱との間に設けられた第２の真空断熱材と、
前記凸部及び凸部間の前記真空断熱材と前記内箱との間に充填あるいは注入され、前記真空断熱材と前記内箱とを接着、固着、もしくは固定する発泡断熱材と、
前記真空断熱材と前記外箱とを接着する前記発泡断熱材とは異なる接着剤と、
前記背面壁の前記内箱に前記内箱とは別体で設けられ、前記背面壁の前記貯蔵室側の少なくとも一部を覆うカバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記送受信手段は前記制御基板室内あるいは前記制御基板室の近傍に設けられており、
前記操作パネルにより、インターネットへの接続設定、インターネットへの接続、前記外部機器の情報の閲覧、前記外部機器からの指示内容の閲覧、あるいは前記外部機器に対する送信情報の閲覧も可能にしている冷蔵庫。
本発明の第３態様は、
外箱と内箱とにより形成された天井壁、背面壁、側壁、および底面壁を有し、前面に開口を有する仕切壁で区画された貯蔵室が形成された箱体と、
前記背面壁を形成する前記内箱と前記外箱との間、および、前記側壁を形成する前記内箱と前記外箱との間、に設けられた真空断熱材と、
前記天井壁を形成する前記内箱と前記外箱との間に設けられた第２の真空断熱材と、
前記側壁と前記背面壁とのコーナー部に形成され、断面形状が斜辺部を有する略三角形状であり、前記斜辺部が略直線状あるいは曲線状あるいはアーチ状あるいは円弧状である凸部と、
前記凸部及び前記凸部間において、前記真空断熱材と前記内箱との間に充填あるいは注入され、前記真空断熱材と前記内箱とを接着、固着、もしくは固定する発泡断熱材と、
前記真空断熱材と前記外箱との間を接着する前記発泡断熱材とは異なる接着剤と、
前記背面壁に設けられ、前記背面壁の前記貯蔵室側の少なくとも一部を覆うカバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記送受信手段は前記制御基板室内あるいは前記制御基板室の近傍に設けられており、
前記操作パネルを操作することによって、前記外部機器との間のインターネット接続設定またはインターネットへの接続が行える冷蔵庫。
本発明の第４態様は、
外箱と内箱とにより形成された天井壁、背面壁、左右の側壁、および底面壁を有し、前面に開口を有する仕切壁で区画された貯蔵室が形成された箱体と、
前記背面壁を形成する前記内箱と前記外箱との間、および、前記側壁を形成する前記内箱と前記外箱との間、に設けられた真空断熱材と、
前記天井壁を形成する前記内箱と前記外箱との間に設けられた第２の真空断熱材と、
前記側壁と前記背面壁とのコーナー部に形成され、前記側壁と前記背面壁とを接続する斜辺部を有し、前記斜辺部が直線状、曲線状あるいは円弧状である凸部と、
前記凸部及び凸部間において、前記真空断熱材と前記内箱との間に充填あるいは注入され、前記真空断熱材と前記内箱との間で発泡した発泡断熱材と、
前記真空断熱材と前記外箱との間を接着する前記発泡断熱材とは異なる接着剤と、
前記背面壁の前記貯蔵室側の少なくとも一部を覆うカバー部材と、
前記背面壁に前記内箱とは別体で設けられ、前記カバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
携帯機器あるいはパソコンが接続できる接続端子と、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記操作パネルを操作することによって、前記接続端子に接続された機器の充電を行なえる冷蔵庫。
【手続補正２】
【補正対象書類名】特許請求の範囲
【補正対象項目名】全文
【補正方法】変更
【補正の内容】
【特許請求の範囲】
【請求項１】
外箱と内箱とにより形成された天井壁、背面壁、左右の側壁、および底面壁を有し、前面に開口を有する仕切壁で区画された貯蔵室が形成された箱体と、
前記左側壁と前記背面壁とのコーナー部、及び、前記右側壁と前記背面壁とのコーナー部の各々に形成され、断面形状が円弧状あるいは曲線状あるいは略三角形状である凸部と、
前記背面壁を形成する前記内箱と前記外箱との間に前記凸部と幅方向に一部が重なるように設けられた真空断熱材と、
前記天井壁を形成する前記内箱と前記外箱との間に設けられた第２の真空断熱材と、
前記凸部及び前記凸部間において、前記真空断熱材と前記内箱との間に充填あるいは注入され、前記真空断熱材と前記内箱とを接着、固着、もしくは固定する発泡断熱材と、
前記背面壁の前記貯蔵室側の少なくとも一部を覆うカバー部材と、
前記真空断熱材と前記外箱とを接着する前記発泡断熱材とは異なる接着剤と、
前記背面壁の前記内箱に前記内箱とは別体で設けられ、前記カバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記制御基板室に設けられた制御基板室カバーと、
前記制御基板室内あるいは前記制御基板室カバーに設けられ、前記送受信手段が接続可能なネットワーク接続用端子と、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されている冷蔵庫。
【請求項２】
外箱と内箱とにより形成された天井壁、背面壁、左右の側壁、および底面壁を有し、前面に開口を有する仕切壁で区画された貯蔵室が形成された箱体と、
前記側壁と前記背面壁とのコーナー部に形成され、前記側壁と前記背面壁とを接続する斜辺部を有し、前記斜辺部が直線状あるいは曲線状あるいは円弧状である凸部と、
前記背面壁を形成する前記内箱と前記外箱との間に設けられた真空断熱材と、
前記天井壁を形成する前記内箱と前記外箱との間に設けられた第２の真空断熱材と、
前記凸部及び凸部間の前記真空断熱材と前記内箱との間に充填あるいは注入され、前記真空断熱材と前記内箱とを接着、固着、もしくは固定する発泡断熱材と、
前記真空断熱材と前記外箱とを接着する前記発泡断熱材とは異なる接着剤と、
前記背面壁の前記内箱に前記内箱とは別体で設けられ、前記背面壁の前記貯蔵室側の少なくとも一部を覆うカバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記送受信手段は前記制御基板室内あるいは前記制御基板室の近傍に設けられており、
前記操作パネルにより、インターネットへの接続設定、インターネットへの接続、前記外部機器の情報の閲覧、前記外部機器からの指示内容の閲覧、あるいは前記外部機器に対する送信情報の閲覧も可能にしている冷蔵庫。
【請求項３】
外箱と内箱とにより形成された天井壁、背面壁、側壁、および底面壁を有し、前面に開口を有する仕切壁で区画された貯蔵室が形成された箱体と、
前記背面壁を形成する前記内箱と前記外箱との間、および、前記側壁を形成する前記内箱と前記外箱との間、に設けられた真空断熱材と、
前記天井壁を形成する前記内箱と前記外箱との間に設けられた第２の真空断熱材と、
前記側壁と前記背面壁とのコーナー部に形成され、断面形状が斜辺部を有する略三角形状であり、前記斜辺部が略直線状あるいは曲線状あるいはアーチ状あるいは円弧状である凸部と、
前記凸部及び前記凸部間において、前記真空断熱材と前記内箱との間に充填あるいは注入され、前記真空断熱材と前記内箱とを接着、固着、もしくは固定する発泡断熱材と、
前記真空断熱材と前記外箱との間を接着する前記発泡断熱材とは異なる接着剤と、
前記背面壁に設けられ、前記背面壁の前記貯蔵室側の少なくとも一部を覆うカバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記送受信手段は前記制御基板室内あるいは前記制御基板室の近傍に設けられており、
前記操作パネルを操作することによって、前記外部機器との間のインターネット接続設定またはインターネットへの接続が行える冷蔵庫。
【請求項４】
外箱と内箱とにより形成された天井壁、背面壁、左右の側壁、および底面壁を有し、前面に開口を有する仕切壁で区画された貯蔵室が形成された箱体と、
前記背面壁を形成する前記内箱と前記外箱との間、および、前記側壁を形成する前記内箱と前記外箱との間、に設けられた真空断熱材と、
前記天井壁を形成する前記内箱と前記外箱との間に設けられた第２の真空断熱材と、
前記側壁と前記背面壁とのコーナー部に形成され、前記側壁と前記背面壁とを接続する斜辺部を有し、前記斜辺部が直線状、曲線状あるいは円弧状である凸部と、
前記凸部及び凸部間において、前記真空断熱材と前記内箱との間に充填あるいは注入され、前記真空断熱材と前記内箱との間で発泡した発泡断熱材と、
前記真空断熱材と前記外箱との間を接着する前記発泡断熱材とは異なる接着剤と、
前記背面壁の前記貯蔵室側の少なくとも一部を覆うカバー部材と、
前記背面壁に前記内箱とは別体で設けられ、前記カバー部材を保持あるいは固定する取り付け部と、
外部機器と送受信可能な送受信手段を有し、前記貯蔵室の温度制御を行う制御装置と、
前記天井壁あるいは前記背面壁に設けられ、前記制御装置の制御基板が収納された制御基板室と、
前記貯蔵室の開口を開閉する貯蔵室扉に設けられ、前記貯蔵室の温度設定または前記貯蔵室の温度表示が行える操作パネルと、
携帯機器あるいはパソコンが接続できる接続端子と、
を備え、
前記制御基板室と前記内箱との間には前記真空断熱材あるいは前記第２の真空断熱材が配置され、前記真空断熱材あるいは前記第２の真空断熱材と前記内箱との間に前記発泡断熱材が充填されており、
前記操作パネルを操作することによって、前記接続端子に接続された機器の充電を行なえる冷蔵庫。
【請求項５】
機械室を除く前記背面壁の４隅近傍に設けられ、前記発泡断熱材を充填あるいは注入した充填口を備えた請求項１〜４のいずれか一項に記載の冷蔵庫。
【請求項６】
前記貯蔵室を冷却する冷気を生成する冷却器を備え、
前記背面壁が前記冷却器により生成された冷気を前記貯蔵室に供給する冷気風路を構成する請求項１〜５のいずれか一項に記載の冷蔵庫。
【請求項７】
前記貯蔵室を冷却する冷気を生成する冷却器と、
前記冷却器により生成された冷気を前記貯蔵室に供給する冷気風路と、
前記カバー部材の背面側に設けられ、前記冷気風路の少なくとも一部を形成する第２部材と、を備えた請求項１〜５のいずれか一項に記載の冷蔵庫。
【請求項８】
前記貯蔵室を冷却する冷気を生成する冷却器と、
前記冷却器により生成された冷気を前記貯蔵室に供給する冷気風路と、を備え、
前記カバー部材の背面側には前記冷気風路の少なくとも一部を形成する第２部材が設けられ、前記第２部材が前記内箱に当接している請求項１〜５のいずれか一項に記載の冷蔵庫。
【請求項９】
前記貯蔵室を冷却する冷気を生成する冷却器と、
前記冷却器により生成された冷気を前記貯蔵室に供給する冷気風路と、を備え、
前記カバー部材の背面側には、独立した風路を形成する第２部材が設けられ、前記第２部材の前記風路が前記冷気風路の少なくとも一部を形成している請求項１〜５のいずれか一項に記載の冷蔵庫。
【請求項１０】
前記第２部材は、２つの部品あるいは複数の部品から形成されている請求項９に記載の冷蔵庫。
【請求項１１】
前記冷気風路の断面形状が幅方向に細長い楕円形状であることを特徴とする請求項６〜１０のいずれか一項に記載の冷蔵庫。
【請求項１２】
前記カバー部材は、前記冷気風路の少なくとも一部を形成あるいは前記冷気風路の少なくとも一部を覆う風路カバー部と、前記取り付け部に取り付けるための第２の取り付け部と、を備えた請求項６〜１０のいずれか一項に記載の冷蔵庫。
【請求項１３】
前記カバー部材は、前記取り付け部と前記第２の取り付け部とが引っ掛け構造あるいは嵌め込み構造あるいは凹凸嵌合、あるいはネジにより固定あるいは保持されている請求項１２に記載の冷蔵庫。
【請求項１４】
前記側壁の厚さをＴ１、前記凸部の幅方向長さをＡとした時、冷蔵庫背面の幅方向端部から前記充填口の幅方向内側端部までの距離Ｙ１が
Ｙ１＜＝Ｔ１＋Ａ
である請求項５〜１３のいずれか一項に記載の冷蔵庫。
【請求項１５】
前記充填口が前記凸部の範囲に設けられている請求項５〜１４のいずれか一項に記載の冷蔵庫。
【請求項１６】
前記凸部間において、前記真空断熱材と前記内箱との間に充填あるいは注入された前記発泡断熱材が前記凸部間の一部範囲に充填されている請求項１〜５のいずれか一項に記載の冷蔵庫。
【請求項１７】
前記背面壁に設けられた前記真空断熱材は、少なくとも１つの角部に切欠き部を有し、前記切欠き部が前記充填口と対向する位置に配置されている請求項５〜１６のいずれか一項に記載の冷蔵庫。
【請求項１８】
前記真空断熱材は、前記凸部間の前記内箱と前記外箱との間に設けられている請求項１〜１７のいずれか一項に記載の冷蔵庫。
【請求項１９】
前記箱体を形成する前記外箱と前記内箱との間の空間の容積に対する前記真空断熱材の占める容積の割合が４０％以上９０％以下、
前記外箱の表面積に対する前記真空断熱材の面積比率が６０％以上であり、
前記背面壁及び前記側壁に設けられた前記真空断熱材の前記背面壁および前記側壁への投影面積の合計が、前記背面壁と前記側壁を合わせた合計表面積に対して７０％以上の割合である請求項１〜１８のいずれか一項に記載の冷蔵庫。
【請求項２０】
前記背面壁を形成する前記内箱と前記外箱との間に設けられた真空断熱材、あるいは、前記側壁を形成する前記内箱と前記外箱との間に設けられた真空断熱材は、前記凸部と一部が重なるように配置されており、前記凸部において前記発泡断熱材とともに前記外箱、前記内箱と一体に形成されている請求項１〜１９のいずれか一項に記載の冷蔵庫。
【請求項２１】
前記発泡断熱材が硬質ウレタンフォームである請求項１〜２０のいずれか一項に記載の冷蔵庫。
【請求項２２】
前記真空断熱材の厚さ／（前記側壁あるいは前記背面壁の壁内厚さ）が０．７以上である請求項１〜２１のいずれか一項に記載の冷蔵庫。
【請求項２３】
前記貯蔵室に収納され、前記側壁の前記貯蔵室側に設けられたレール部材を介して引き出される引き出し式のケースと、を備え、
前記発泡断熱材が前記レール部材と対向する位置の前記内箱と前記真空断熱材との間に充填あるいは注入されている請求項１〜５のいずれか一項に記載の冷蔵庫。
【請求項２４】
前記貯蔵室に収納され、前記側壁の前記貯蔵室側に設けられたレール部材を介して引き出される引き出し式のケースと、
前記内箱の前記レール部材と対向する位置の前記外箱側に設けられた部材と、を備え、
前記発泡断熱材が前記部材と前記真空断熱材との間に充填あるいは注入されている請求項１〜５のいずれか一項に記載の冷蔵庫。
【請求項２５】
前記内箱と前記制御基板室との間の前記発泡断熱材の厚さが１１ｍｍ以下である請求項１〜５のいずれか一項に記載の冷蔵庫。
【請求項２６】
前記側壁の厚さが２０ｍｍ以上４０ｍｍ以下であって、
前記レール部材と対向する位置の前記真空断熱材の曲げ弾性率が２０ＭＰａ以上であり、前記発泡断熱材の厚さが１０ｍｍより小さい請求項２３または請求項２４に記載の冷蔵庫。
【請求項２７】
前記レール部材が前記貯蔵室の底面を形成する前記仕切壁あるいは前記底面壁の近傍に設けられている請求項２３または請求項２４に記載の冷蔵庫。
【請求項２８】
前記レール部材を支持するレール支持部を備え、
前記レール支持部が前記貯蔵室の底面を形成する前記仕切壁あるいは前記底面壁に載置されている請求項２３または請求項２４に記載の冷蔵庫。
【請求項２９】
前記ケースは、前記ケースを形成するケース側壁と、前記ケース側壁に形成され、前記レール部材にて前記ケースが支持される段部と、を有し、
前記段部が前記ケースの高さ方向に対して１／３以下の位置に設けられている請求項２３または請求項２４に記載の冷蔵庫。
【請求項３０】
前記発泡断熱材が硬質ウレタンフォームであり、前記硬質ウレタンフォームの曲げ弾性率が１５ＭＰａ以上１５０ＭＰａ以下である請求項１〜２９のいずれか一項に記載の冷蔵庫。
【請求項３１】
前記送受信手段がアンテナである請求項１〜５のいずれか一項に記載の冷蔵庫。
【請求項３２】
前記送受信手段が無線アダプタあるいはＷｉＦｉ（登録商標）アダプタである請求項１〜５のいずれか一項に記載の冷蔵庫。
【請求項３３】
前記制御装置は前記外部機器と機器情報を送受信可能であり、
前記機器情報が前記冷蔵庫の消費電力、前記冷蔵庫の運転履歴、天気予報、災害情報、前記外部機器の運転状況、あるいは前記外部機器の消費電力である請求項１〜５のいずれか一項に記載の冷蔵庫。
【請求項３４】
携帯機器あるいはパソコンが接続できる接続端子を備え、前記冷蔵庫への電力の供給が停止した場合に、電力の供給元を電灯線から外部電源に切り替えることで前記携帯機器あるいは前記パソコンの充電が行える請求項１〜５のいずれか一項に記載の冷蔵庫。
【請求項３５】
前記取り付け部は、前記凸部と前記背面壁とによって形成された凹部に設けられている請求項１〜３４のいずれか一項に記載の冷蔵庫。